(57)【要約】【課題】  賞球箱の装着前に遊技球を落下させないように規制し、且つ大当たり中の賞球箱の交換作業時における所謂パンクの発生を確実に防止し得るように構成した遊技機を提供する。【解決手段】  パチンコ機１は、発射装置３６の作動で遊技球を遊技盤７上に発射して遊技を進行させ、大当たり状態ではアタッカー２５を入球可能に開放させて入球数に対応する遊技球を払い出し口１５から払い出すように構成されている。このパチンコ機１は、賞球箱１７を払い出し口１５に臨ませた形に装着し得る賞球箱装着部１９と、賞球箱装着部１９への賞球箱１７の着脱に対応して払い出し口１５を開閉するシャッタ部材１８と、賞球箱装着部１９への賞球箱１７の未装着状態では発射装置３６の発射動作を禁止する発射制御手段４５と、大当たり中に操作されたとき発射制御手段４５による発射動作禁止状態を解除する解除操作ボタン３７とを備えている。【選択図】  図１
2005152139.tif 000002
【特許請求の範囲】
【請求項１】
発射装置の作動で遊技球を遊技盤上に発射して遊技を進行させ、大当たり状態では大入賞口を入球可能に開放させて入球数に対応する遊技球を払い出し口から払い出してなる遊技機において、
多数の遊技球を収容し得る賞球箱を前記払い出し口に臨ませた形に装着し得る賞球箱装着部と、
前記賞球箱装着部への前記賞球箱の着脱に対応して前記払い出し口を開閉するシャッタ部材と、
前記賞球箱装着部への前記賞球箱の未装着状態では前記発射装置の発射動作を禁止する発射規制手段と、
大当たり中に操作されたとき前記発射規制手段による発射動作禁止状態を解除する解除操作部材とを備えたことを特徴とする遊技機。
【請求項２】
前記賞球箱装着部に、前記賞球箱の装着の有無を検知する賞球箱装着検知手段が設けられていることを特徴とする請求項１に記載の遊技機。
【請求項３】
前記解除操作部材の操作に応答して、前記発射規制手段による発射動作禁止状態を解除すべき所定の時間値をセットする解除手段を備えることを特徴とする請求項１又は２に記載の遊技機。
【発明の詳細な説明】
【技術分野】
【０００１】
本発明は、パチンコ機等の遊技機に関し、特に大当たり中に払い出される遊技球を収容する賞球箱の取り扱いを簡便にした遊技機に関する。
【背景技術】
【０００２】
一般に、遊技機、例えばパチンコ機として、上受け皿に滞留している遊技球が、発射ハンドルの操作に基づいて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機においては、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。そして、大当たり中に多量に放出されて上受け皿からオーバーフローした遊技球は下受け皿に流下して滞留するが、この際、下受け皿に設けられた開放レバーの操作により下受け皿底部が開放されて、下方に準備された賞球箱（所謂ドル箱）内に落下することになる。
【０００４】
【特許文献１】特開２００３−２３６２１０号公報（図２参照）
【発明の開示】
【発明が解決しようとする課題】
【０００５】
ところで、上述のパチンコ機を配備している各遊技店には、大当たり発生時点で初めて賞球箱を準備してくれる店と、大当たり発生の有無に拘わらず下受け皿の下方に賞球箱が予め準備されている店とがあるが、いずれの場合においても、遊技球が下受け皿に満杯になる都度に開放レバーをいちいち操作しなければ、下受け皿に順次溜まる遊技球を下方の賞球箱に落下させることは難しい。
【０００６】
近年では、開閉レバーをいちいち操作する煩雑さを解消するため、開放レバーをその開放位置に一旦固定した状態として、遊技球を下受け皿から賞球箱に継続的に落下させ得るように構成したものも出現している。しかし、これにあっては、遊技者が大当たり終了後に開放レバーを元の閉塞位置に戻すことを忘れた場合、次の大当たり発生時等に、流下してくる遊技球を下受け皿から落下させる不都合を生じることがある。この際、下受け皿の下方に賞球箱が予め準備されていれば問題はないが、賞球箱が準備されていない場合、遊技球は遊技者の意に反して床面に落下することになる。
【０００７】
そこで、床面に遊技球を落下させる上記不都合を防止するため、賞球箱が準備されない状態では、上受け皿から下受け皿への経路をシャッタで閉塞して、上受け皿からの遊技球の移動を阻止するような構造のパチンコ機も考えられる。しかしこれによると、大当たり中、遊技球が満杯になった賞球箱を別の賞球箱と交換する際、遊技店係員による交換作業が必要以上に長引いたときには、打ち出しを継続していることに起因して、順次払い出される遊技球がシャッタで閉塞された経路に多く溜まって詰まりを引き起こす虞がある。
【０００８】
従って、上記球詰まりの発生を防止するため、例えば、大当たり中の賞球箱交換時、交換状態をセンサで検知し、当該検知に基づいて発射装置の遊技球打ち出しを禁止するような構成も考えられる。しかしこれによると、賞球箱の交換作業に必要以上の時間を要した際には、大当たり中に、遊技盤のアタッカーに遊技球を継続して入球させることができなくなり、著しい場合には、所定回数開放するはずのアタッカーがそのまま閉じてしまう不具合（所謂パンク）を生じる虞がある。当該アタッカーは、大当たり中に、１回の開放で所定数の入球を完了した時点で閉じ、且つこの開閉動作を所定回数繰り返すように構成されると共に、１回の開放中において所定数の入球が完了しない状態が所定時間を超えたとき上記パンクの状態となる。パンクが発生したとき、１回の大当たりで本来得られる球数を獲得できないといった、遊技者にとって不利な状況が現出する。
【０００９】
そこで、本発明は、賞球箱の取り扱いを簡便にしながらも、賞球箱の装着前には遊技球を落下させないように規制すると共に、大当たり中の賞球箱の交換作業時における所謂パンクの発生を確実に防止し得るように構成し、もって上述した課題を解決した遊技機を提供することを目的とするものである。
【課題を解決するための手段】
【００１０】
請求項１に記載の発明は、発射装置の作動で遊技球を遊技盤上に発射して遊技を進行させ、大当たり状態では大入賞口を入球可能に開放させて入球数に対応する遊技球を払い出し口から払い出してなる遊技機において、
多数の遊技球を収容し得る賞球箱を前記払い出し口に臨ませた形に装着し得る賞球箱装着部と、
前記賞球箱装着部への前記賞球箱の着脱に対応して前記払い出し口を開閉するシャッタ部材と、
前記賞球箱装着部への前記賞球箱の未装着状態では前記発射装置の発射動作を禁止する発射規制手段と、
大当たり中に操作されたとき前記発射規制手段による発射動作禁止状態を解除する解除操作部材とを備えたことを特徴とする。
【００１１】
請求項２に記載の発明は、請求項１に記載の遊技機の発明において、前記賞球箱装着部に、前記賞球箱の装着の有無を検知する賞球箱装着検知手段が設けられていることを特徴とする。
【００１２】
請求項３に記載の発明は、請求項１又は２に記載の遊技機の発明において、前記解除操作部材の操作に応答して、前記発射規制手段による発射動作禁止状態を解除すべき所定の時間値をセットする解除手段を備えることを特徴とする。
【発明の効果】
【００１３】
請求項１に記載の発明によれば、賞球箱装着部に対し賞球箱を払い出し口に臨ませた形で装着することができるので、遊技開始時において賞球箱装着部に賞球箱が予め装着されていれば、その状態のまま大当たりが発生しても、払い出される遊技球を直ちに賞球箱に落下、収容することができる利点がある。また、たとえ賞球箱が装着されない状態で遊技を開始したとしても、大当たりが発生してなければ、発射規制手段が発射装置の発射動作を禁止するので、賞球箱の装着前の段階で遊技球を遊技店の床面に落下させるような不都合の発生を確実に防止できる。そして、賞球箱を所定の状態に装着した後、大当たりに当選した際、当該大当たり中に、遊技球で一杯になった賞球箱を別の賞球箱と交換する際に必要以上の時間を要するようなことがあっても、解除操作部材の操作で遊技球の発射を継続して行うことができるので、アタッカーと呼ばれる大入賞口に所定時間内に入球できなくなって所謂パンクさせてしまうような不都合の発生を確実に防止できる。この際、賞球箱の交換時にシャッタ部材で閉塞される時間がそれほど長くなければ、賞球箱交換が完了するまでに払い出される遊技球は、シャッタ部材で閉塞された経路内にて問題なく滞留させられた後、交換完了後のシャッタ部材開放で、新たな賞球箱に円滑に放出されることになる。
【００１４】
請求項２に記載の発明によれば、賞球箱の装着の有無を検知する賞球箱装着検知手段を賞球箱装着部に備えるので、賞球箱が所定の位置に装着されたか否かを容易且つ確実に検知して、遊技球発射制御を高精度で実行することができる。
【００１５】
請求項３に記載の発明によれば、大当たり中、解除操作部材の操作に基づいて遊技球の打ち出しを所定時間確実に継続させ、アタッカーと呼ばれる大入賞口に所定時間内に入球できずに所謂パンクさせるような不都合を確実に防止し得る機能を、比較的簡素な制御構成で実現することが可能になる。
【発明を実施するための最良の形態】
【００１６】
以下、本発明の遊技機の実施形態として、遊技場等に設置されるパチンコ機を図１乃至図６に沿って説明する。本パチンコ機１は、後述の発射ハンドル９の操作による発射装置３６の作動によって遊技球を遊技盤７上に打ち出しつつ遊技を行うもので、所謂確率変動等の大当たりが発生した状態でアタッカー（大入賞口）２５に入球した遊技球に対応する数の遊技球を払い出すように構成されている。上記確率変動（確変当たり）とは、後述の大当たり判定手段４０による判定（抽選）結果にて確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１７】
なお、図１は本パチンコ機１の外部構造を示す正面図、図２は本パチンコ機１の制御系を示すブロック図、図３乃至図５は本実施形態における制御例を示すフローチャート、図６は図１における賞球箱装着部１９の理解を容易にするため当該装着部１９を拡大して示す斜視図である。
【００１８】
本パチンコ機１は、筐体２と、筐体２に開閉可能に取り付けられた前扉３とを有しており、前扉３の前面には、ガラス６を有する金枠５が開閉可能に取付けられており、ガラス６の後側には遊技盤７が配置されている。この遊技盤７における左方には、発射された遊技球を遊技領域へ案内するガイドレール１０が設けられており、中央部分には、ＬＣＤ（Liquid Crystal Display）等からなり大当たり時の演出等のゲーム態様を表示する遊技表示装置２２が設けられている。この遊技表示装置２２の下方には、スタートチャッカー２３と、大当たり発生時において所定回転数の開閉動作を所定数入球する毎（又は所定時間経過する毎）に繰り返すアタッカー２５とが設けられている。なお、遊技盤７の上部には演出用の照明装置２７が設けられ、前扉３における最上部には、演出用の照明装置２６が設けられている。
【００１９】
前扉３における中央部分には前面パネル１１が設けられており、前面パネル１１の中央部分には上受け皿１３が設けられている。この上受け皿１３の左上部には、賞球及び貸球を含む遊技球が供給される球供給口１２が形成されている。上受け皿１３の下方には、遊技球が排出される払い出し口１５が設けられており、この払い出し口１５は、上受け皿１３でオーバーフローした遊技球（賞球）、上受け皿１３から発射装置３６によって発射された後に遊技盤７に到達できずに戻る遊技球（ファール球）、或いは、上受け皿１３に設けられた球抜きレバー１６の操作によって上受け皿１３から送り出される遊技球を排出する。上受け皿１３の左上部壁面には、球貸ボタン１４ａ及びプリベートカード返却ボタン１４ｂが設けられている。また、前扉３における右側下方には、遊技球を遊技盤７に向けて打ち出す発射装置３６（図２参照）を操作するための発射ハンドル９が設けられている。
【００２０】
払い出し口１５内には、その出口付近にて突出し又は待避することによって当該払い出し口１５を閉塞又は開放するシャッタ部材１８が設けられている。即ち、このシャッタ部材１８は、図１及び図６に示すように、払い出し口１５の下面１５ａから上下に進退するように構成されるもので、賞球箱装着部１９への賞球箱１７の脱着動作に連動して払い出し口１５内に突出／待避することによって払い出し口１５を閉止し或いは開放する。またシャッタ部材１８は、このように上下方向に進退する構成のものに限らず、例えば、払い出し口１５の左右方向に延びる回動軸を中心として前後方向に回動して払い出し口１５を開閉し得る構成のものを採用することもできる。なお、図１において、払い出し口１５の閉塞状態でシャッタ部材１８と払い出し口１５内面との間に隙間が存在するように図示されているが、当該隙間寸法は遊技球１個の大きさ（外径）よりも小さく設定されており、従って、閉塞状態にて遊技球が外方にこぼれ落ちることはない。
【００２１】
そして、払い出し口１５の周囲、特に下方側に拡がる空間を含む賞球箱装着部１９が形成されている。この賞球箱装着部１９は、図１及び図６に示すように、所謂ドル箱と呼ばれる賞球箱１７を払い出し口１５に臨ませた状態でその全体を覆うように収容し得るサイズを有しており、内部壁面の左右及び後方（紙面の奥側）には、収容した賞球箱１７の上部外周に亘るように形成された把持部１７ａの左右部分及び奥側を下方から担持する担持段部２０が形成されている。そして、担持段部２０におけるやや奥側には、上記装着部１９内に収容される賞球箱１７の把持部１７ａに押圧されてオンする構成の賞球箱装着検知センサ３４（図２参照）が設けられている。賞球箱装着検知センサ３４は、このような押圧時にオン、解放時にオフする形式のセンサに限らず、例えば、把持部１７ａによって遮蔽又は開放されてオン、オフする形式のフォトインタラプタ等を用いることも可能である。なお、図中の符号２１は、プリベートカードを挿入するための挿入口である。
【００２２】
ついで、図２を参照して本実施形態の制御系について説明する。すなわち、本制御系は、主基板３０及びサブ制御基板３１を有しており、該主基板３０には、アタッカー開閉装置３２、球払い出し装置３３、賞球箱装着検知センサ３４、シャッタ開閉装置３５、発射装置３６、及び解除操作ボタン３７が接続されている。またサブ制御基板３１には、照明装置２６，２７と、遊技表示装置２２とが接続されている。
【００２３】
アタッカー開閉装置３２は、スタートチャッカー２３への入球に伴って行われる大当たり判定手段４０による抽選判定結果に応答して、大当たり時には、アタッカー２５を所定時間間隔（例えば５秒）で所定回数（例えば１５回）だけ繰り返し開閉動作させる。アタッカー２５の各開放は夫々、所定数（例えば１０個）の遊技球が所定時間内に入球完了した時点で、或いは入球完了しない場合であっても所定時間の経過とともに終了する。
【００２４】
球払い出し装置３３は、大当たり判定手段４０による大当たり判定結果に応答して、アタッカー２５への入球数に対応するだけの個数の遊技球を払い出し口１５から払い出す。賞球箱装着検知センサ（賞球箱装着検知手段）３４は、賞球箱装着部１９に設けられて賞球箱１７の装着の有無を検知するものであり、担持段部２０上に賞球箱１７が載置された状態で発生するオン信号を後述の賞球箱装着検出手段４３に送信する。
【００２５】
シャッタ開閉装置３５は、ソレノイド等からなる駆動手段を有し、賞球箱装着検出手段４３の検出に基づくシャッタ開閉制御手段４４の指令に応答してシャッタ部材１８を開閉（待避／突出）動作させる。発射装置３６は、発射ハンドル９（図１参照）の回動操作角に対応して、不図示の遊技球発射経路に順次送られる遊技球を、ガイドレール１０を介して遊技盤７に打ち出す。
【００２６】
解除操作ボタン３７は、大当たり判定手段４０により判定された大当たり中（大当たり状態の継続中）に遊技者や遊技店係員によって押圧操作された際に、賞球箱装着部１９に賞球箱１７が装着されていないことに起因して発射制御手段（発射規制手段）４５が発射装置３６の発射動作を禁止している状態を解除するためのものである。照明装置２６，２７は、サブ制御基板３１による制御に応答して所定の演技を実行する。また遊技表示装置２２は、サブ制御基板３１による通常時の演出や、大当たり時における特別な演出等を表示する。
【００２７】
上記主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。当該主基板３０は、大当たり判定手段４０、アタッカー開閉制御手段４１、球払い出し制御手段４２、賞球箱装着検出手段４３、シャッタ開閉制御手段４４、発射制御手段４５、及び解除手段４６を有している。
【００２８】
また、上記サブ制御基板３１は、主基板３０中の上記マイクロプロセッサから供給される演出制御信号に従って、実装された電気回路が照明装置２６，２７を駆動して、遊技者の視覚に訴える演出表示を行うように機能する。
【００２９】
大当たり判定手段４０は、内部に大当たりカウンタ等を有しており、スタートチャッカー２３（図１参照）への入球に伴う抽選の結果に基づいて、少なくとも大当たり状態と外れ状態のいずれであるかを判定する。アタッカー開閉制御手段４１は、大当たり判定手段４０による判定結果が大当たりであった場合に、不図示のソレノイドの作動により所定回数だけ、各回にて所定数の入球を完了するまでアタッカー２５を開閉動作させるようにアタッカー開閉装置３２に信号を出力する。なお、アタッカー開閉制御手段４１は、アタッカー２５の開放時間が所定時間を超えた場合には、所定数の入球の未完了に拘わらずアタッカー２５を閉塞するように制御する。
【００３０】
球払い出し制御手段４２は、アタッカー２５への入球数に対応する数の遊技球を払い出すように球払い出し装置３３を制御する。賞球箱装着検出手段４３は、賞球箱装着検知センサ３４による検知結果に基づいて、賞球箱装着部１９の担持段部２０に賞球箱１７がセットされているか否かを判定する。シャッタ開閉制御手段４４は、賞球箱装着部１９から賞球箱１７が取り出されたことが賞球箱装着検出手段４３で検出されたとき、これに応答してシャッタ開閉装置３５に信号を出力し、該シャッタ開閉装置３５を介してシャッタ部材１８を払い出し口１５内で突出させて該払い出し口１５を閉塞する。またシャッタ開閉制御手段４４は、賞球箱１７が装着されていることが賞球箱装着検出手段４３で検出されている際には、シャッタ開閉装置３５を介してシャッタ部材１８を待避させて払い出し口１５を開放する。
【００３１】
発射制御手段（発射規制手段）４５は、発射ハンドル９の回動操作角に対応した信号を発射装置３６に出力して該発射装置３６を作動させ、所定の状態に準備された遊技球を遊技盤７に向けて発射するように機能すると共に、賞球箱装着部１９から賞球箱１７が取り外された状態では発射装置３６の発射動作を禁止するように機能する。解除手段４６は、大当たり中に解除操作ボタン３７が操作された際、これに応答して、発射制御手段４５による発射動作禁止状態を解除すべき所定の時間値（図４中の猶予時間値１及び２参照）をセットし、上記発射動作禁止状態を解除する機能を有している。
【００３２】
ついで、本実施形態の作用について、図３乃至図５を参照して説明する。まず、図４に沿って、「解除操作ボタンの有効条件」のラベルで始まる処理について説明する。即ち、ステップＳ１１において、大当たり判定手段４０が大当たり中であるか否かを判定し、その結果、大当たり中であれば、ステップＳ１２に進んで、解除操作ボタン３７の機能を有効にして処理を終了する。一方、ステップＳ１１にて、大当たり判定手段４０が大当たり中では無いと判定した場合、ステップＳ１３に進んで、解除操作ボタン３７の機能を無効にし、処理を終了する。
【００３３】
そして、図４に示すように、「解除操作ボタン押下処理」のラベルで始まる処理において、ステップＳ２１で解除操作ボタン３７が有効と判定されれば、ステップＳ２２に進み、更に解除操作ボタン３７が押下されているか否かを判定する。その結果、解除操作ボタン３７が押下されていれば、ステップＳ２３に進んで、解除操作ボタン押下信号猶予時間値１をセットした後、処理を終了する。この猶予時間値１は、大当たり中に解除操作ボタン３７が操作されたときに設定されるもので、大当たり状態が継続している間、発射制御手段４５から出力される発射規制信号を解除し続ける所定の時間を意味している。
【００３４】
一方、ステップＳ２１で解除操作ボタン３７が無効と判定された際、またはステップＳ２２で解除操作ボタン３７が押下されていないと判定された際には、ステップＳ２４に進んで、賞球箱装着検知センサ３４がオフされたか否か、つまり賞球箱１７が賞球箱装着部１９から外されたか否かを判定する。その結果、賞球箱装着検知センサ３４がオンされていると判定されればステップＳ２１に戻って処理を繰り返し、オフされていると判定されれば、ステップＳ２５に進んで、解除操作ボタン押下信号猶予時間値２をセットした後、処理を終了する。この猶予時間値２は、大当たり中でなく解除操作ボタン３７が無効である状態、または大当たり中であるが解除操作ボタン３７が操作されない状態において設定されるもので、発射制御手段４５から出力される発射規制信号を解除し続ける所定の時間を意味する。
【００３５】
そして、図５に示すように、「遊技球発射条件」のラベルで始まる処理において、ステップＳ１で賞球箱装着検出手段４３が賞球箱装着検知センサ３４のオン／オフを判定する。その結果、賞球箱装着検知センサ３４がオンされていると判定されれば、ステップＳ２において、払い出し口１５が開放された状態で、発射制御手段４５から発射装置３６に遊技球発射許可信号が出力される。この場合、シャッタ部材１８は、ステップＳ２より前の時点で、即ちステップＳ１の時点又はそれ以前の時点で賞球箱装着検知センサ３４がオンされたとき、シャッタ開閉装置３５によって待避させられる。
【００３６】
一方、ステップＳ１で、賞球箱装着検知センサ３４がオフ、つまり賞球箱１７が賞球箱装着部１９から外されていると判定されれば、ステップＳ３において、猶予時間１（即ち、上述の解除操作ボタン押下信号猶予時間値１）が経過した（＝０）か否か（≠０）を判定する。その結果、猶予時間１の継続中であれば、ステップＳ２に進んで、発射制御手段４５から遊技球発射許可信号を出力して、発射ハンドル９の操作に応じて遊技球を打ち出しできる状態にする。
【００３７】
一方、ステップＳ３で、猶予時間１が経過したと判定されれば、ステップＳ４に進んで、猶予時間２（即ち、上述の解除操作ボタン押下信号猶予時間値２）が経過した（＝０）か否か（≠０）を判定する。その結果、猶予時間２の継続中であれば、ステップＳ２に進んで、上記同様の処理を行い、また猶予時間２が経過したと判定されれば、ステップＳ５において、シャッタ開閉装置３５によりシャッタ部材１８が突出させられて払い出し口１５が閉塞され、発射制御手段４５から発射装置３６に遊技球発射禁止信号が出力される。
【００３８】
以上説明したように、本実施の形態によれば、賞球箱装着部１９に対し賞球箱１７を払い出し口１５に臨ませた形で装着することができるので、遊技開始時において賞球箱装着部１９に賞球箱１７が予め装着されていれば、その状態のまま大当たりが発生しても、払い出される遊技球を直ちに賞球箱１７に落下、収容することができる利点がある。また、たとえ賞球箱１７が装着されない状態で遊技を開始したとしても、大当たりが発生してなければ発射制御手段４５が発射装置３６の発射動作を禁止するので、賞球箱１７の装着前の段階で遊技球を遊技店の床面に落下させるような不都合の発生を確実に防止できる。
【００３９】
そして、賞球箱１７を所定の状態に装着した後、大当たりに当選した際、当該大当たり中に、遊技球で一杯になった賞球箱１７を別の賞球箱１７と交換する際に必要以上の時間を要するようなことがあっても、解除操作ボタン３７の操作で遊技球の発射を継続して行うことができるので、アタッカー２５に所定時間内に入球できなくなって所謂パンクさせてしまうような不都合の発生を確実に防止できる。この際、賞球箱１７の交換時にシャッタ部材１８で閉塞される時間がそれほど長くなければ、賞球箱交換が完了するまでに払い出される遊技球は、シャッタ部材１８で閉塞された経路内にて問題なく滞留させられた後、交換完了後のシャッタ部材１８開放で、新たな賞球箱１７に円滑に放出されることになる。
【００４０】
また、賞球箱１７の装着の有無を検知する賞球箱装着検知センサ３４を賞球箱装着部１９に備えるので、賞球箱１７が所定の位置に装着されたか否かを容易且つ確実に検知して、遊技球発射制御を高精度で実行することができる。更に、大当たり中、解除操作ボタン３７の操作に基づいて遊技球の打ち出しを所定時間確実に継続させ、アタッカー２５に所定時間内に入球できずに所謂パンクさせるような不都合を確実に防止し得る機能を、比較的簡素な制御構成で実現することが可能になる。
【００４１】
なお、本実施形態では、賞球箱１７を人手を介して賞球箱装着部１９に着脱するように構成したが、これに限らず、例えば、賞球箱装着部１９の下方から次なる賞球箱１７が順次補充されるように構成し、賞球箱装着部１９からの賞球箱１７の取り外しに準じて次なる賞球箱１７が自動的にセットされるように構成することも可能である。
【００４２】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【産業上の利用可能性】
【００４３】
本発明に係る遊技機は、遊技中に賞球箱を交換する可能性のある遊技機に用いて有用であり、特に大当たり中の賞球箱の交換を円滑に行う必要のある遊技機に適している。
【図面の簡単な説明】
【００４４】
【図１】本発明に係る実施形態におけるパチンコ機の外部構造を示す正面図である。
【図２】本パチンコ機の制御系を示すブロック図である。
【図３】本実施形態における制御を示すフローチャートである。
【図４】本実施形態における制御を示すフローチャートである。
【図５】本実施形態における制御を示すフローチャートである。
【図６】図１における賞球箱装着部を拡大して示す斜視図である。
【符号の説明】
【００４５】
１…パチンコ機（遊技機）
７…遊技盤
１５…払い出し口
１７…賞球箱
１８…シャッタ部材
１９…賞球箱装着部
２５…アタッカー（大入賞口）
３４…賞球箱装着検知センサ（賞球箱装着検知手段）
３６…発射装置
３７…解除操作ボタン（解除操作部材）
４５…発射制御手段（発射規制手段）
４６…解除手段
【図１】
2005152139.tif 000003
【図２】
2005152139.tif 000004
【図３】
2005152139.tif 000005
【図４】
2005152139.tif 000006
【図５】
2005152139.tif 000007
【図６】
2005152139.tif 000008